(57)【要約】【課題】  支障なく挿入部を体腔内に挿入可能で、挿入部に付した指標を容易に視認可能な内視鏡の指標を提供する。【解決手段】  内視鏡の指標３０は、体腔内に挿入される細長い挿入部を有する内視鏡の前記挿入部に指標材料が塗布されて印刷されて指標パターンが形成される。指標パターンの少なくとも一部には、スリット３２が入れられている。【選択図】    図２
2006055437.tif 000002
【特許請求の範囲】
【請求項１】
体腔内に挿入される細長い挿入部を有する内視鏡の前記挿入部に指標素材が取着されて指標パターンが形成される指標において、
前記指標パターンの少なくとも一部には、スリットが入れられていることを特徴とする内視鏡の指標。
【請求項２】
前記スリットは、平行に複数備えられていることを特徴とする請求項１に記載の内視鏡の指標。
【請求項３】
体腔内に挿入される細長い挿入部を有する内視鏡の前記挿入部に指標素材が取着されて指標パターンが形成される指標において、
前記指標パターンの少なくとも一部は、多数のドットの集合体で形成されていることを特徴とする内視鏡の指標。
【請求項４】
体腔内に挿入される細長い挿入部を具備し、
前記挿入部には、少なくとも一部にスリットが入れられた指標パターンを有する指標が取着されていることを特徴とする内視鏡。
【請求項５】
前記スリットは、平行に複数備えられていることを特徴とする請求項４に記載の内視鏡。
【請求項６】
体腔内に挿入される細長い挿入部を具備し、
前記挿入部には、少なくとも一部が多数のドットの集合体で形成された指標パターンを有する指標が取着されていることを特徴とする内視鏡。
【発明の詳細な説明】
【技術分野】
【０００１】
この発明は、体腔内に挿入される細長い挿入部を有する内視鏡の前記挿入部に指標素材が取着されて指標パターンが形成される内視鏡およびその指標に関する。
【背景技術】
【０００２】
医療用内視鏡は、一般に人体の体腔内等に挿入されて人体の体腔内等の観察、検査、診断、および治療を行うための装置である。この内視鏡の挿入部には、挿入部を体腔内等に挿入する長さを術者が判断することができるように、指標素材の塗布／印刷やマーカー等によって距離目盛り等の指標が付されている。
【０００３】
このような内視鏡の挿入部に指標を付すには、例えば特許文献１および特許文献２に開示された方法が知られている。特許文献１には、光硬化型インクを用いて速やかに指標を乾燥させる方法が開示されている。特許文献２には、フッ素ゴムの外皮に対し加硫前のフッ素ゴムを溶媒とするマーキング液を用いて曲げや摩擦等の機械的耐性や、適度の耐液体性を有する指標を形成する方法が開示されている。
【０００４】
また、特許文献３には、親子式内視鏡の子内視鏡の先端部からの長さを例えば４つのドットからなるドット指標で示し、そのドット指標を親内視鏡で視認することにより子内視鏡の挿入部の先端からの長さを認識する方法が開示されている。
【０００５】
なお、内視鏡の挿入部に付される特許文献１および特許文献２の指標は、例えばウレタン系の２液硬化型インクなどの白色インクが使用されることが一般的である。指標のための白色インクは、挿入部が体腔内の曲がった経路に沿って挿入されることから、できるだけ柔軟で伸縮性を有するインク組成物を用いることが好ましい。
【０００６】
内視鏡の挿入部の可撓管の外皮には、図１１に示すように、挿入部の先端から２０ｃｍの位置に、指標パターンが数字「２０」で示される指標４０を形成するため、インクが塗布されて印刷されている。この指標４０のインクは、挿入部の可撓管の外皮にベタ塗りされて印刷されている。
【特許文献１】特願昭６１−２４１１８４号公報
【特許文献２】特願昭６３−２７７０３１号公報
【特許文献３】特開２００３−１４４３８１号公報
【発明の開示】
【発明が解決しようとする課題】
【０００７】
内視鏡は、グルタールアルデヒド系の滅菌液、過酢酸を含む滅菌液、および過酸化水素を含む滅菌液を用いた滅菌法、過酸化水素と低温プラズマを使用した滅菌法や、オートクレーブ滅菌法により滅菌されることが一般的である。しかし、これらの滅菌法による繰り返しの処理や、内視鏡の繰り返しの使用など、長期にわたって柔軟で伸縮性を保つインク組成物は現在のところ非常に少ないのが現状である。
【０００８】
例えば内視鏡の挿入部を屈曲させると、挿入部に印刷されている図１１に示す指標パターンを有する指標４０のインク塗膜が挿入部の下地（外皮）の樹脂に追従して伸びようとする。ここで、上記滅菌法に対して高い耐性を有する２液硬化型インク等のインクの多くは柔軟性や伸縮性に乏しい。このため、このようなインクを内視鏡の挿入部に塗布して印刷すると、酸化や加水分解により熱硬化劣化や熱軟化劣化を起こすことがある。例えば、硬化されたインクにより指標４０自体にき裂を生じることがあり、軟化し、または液状化して挿入部の外皮を構成する樹脂から剥離するなど、インク塗膜に不具合が生じることがある。したがって、内視鏡の体腔内への挿入時の挿入深さを測定することが困難となることがあり、また、内視鏡の挿入部の体腔内への挿入の際に体壁に対する挿入部の外周面の滑り性が劣化し、患者に対する負担が大きくなることがあるなど、支障が生じることがある。
【０００９】
この発明は、このような課題を解決するためになされたもので、その目的とするところは、支障なく挿入部を体腔内に挿入可能で、挿入部に取着した指標を容易に視認可能な内視鏡およびその指標を提供することにある。
【課題を解決するための手段】
【００１０】
上記課題を解決するために、本発明に係る内視鏡の指標は、体腔内に挿入される細長い挿入部を有する内視鏡の前記挿入部に指標素材が取着されて指標パターンが形成される。前記指標パターンの少なくとも一部には、スリットが入れられている。
【００１１】
このようにスリットを設けたので、例えば内視鏡の挿入部を繰り返し屈曲させても、取着された指標素材に加えられる力が分散されるので、指標が挿入部から剥離したり、指標自体にき裂が生じたりすることが防止される。
【００１２】
また、好ましくは、前記スリットは、平行に複数備えられている。
【００１３】
このため、指標素材に加えられる力を細かく分散させることが可能である。
【００１４】
上記課題を解決するために、本発明に係る内視鏡の指標は、体腔内に挿入される細長い挿入部を有する内視鏡の前記挿入部に指標素材が取着されて指標パターンが形成される。前記指標パターンの少なくとも一部は、ドットの集合体で形成されている。
【００１５】
このように、指標パターンをドットの集合体として形成したので、例えば内視鏡の挿入部を繰り返し屈曲させても、指標素材に加えられる力が分散されるので、指標が挿入部から剥離したり、指標自体にき裂が生じたりすることが防止される。
【００１６】
また、上記課題を解決するために、本発明に係る内視鏡は、体腔内に挿入される細長い挿入部を具備し、前記挿入部には、少なくとも一部にスリットが入れられた指標パターンを有する指標が取着されている。
【００１７】
このようにスリットを設けたので、例えば内視鏡の挿入部を繰り返し屈曲させても、指標素材に加えられる力が分散されるので、指標が挿入部から剥離したり、指標自体にき裂が生じたりすることが防止される。
【００１８】
また、好ましくは、前記スリットは、平行に複数備えられている。
【００１９】
このため、指標素材に加えられる力を細かく分散させることが可能である。
【００２０】
上記課題を解決するために、本発明に係る内視鏡は、体腔内に挿入される細長い挿入部を具備し、前記挿入部には、少なくとも一部がドットの集合体で形成された指標パターンを有する指標が取着されている。
【００２１】
このように、指標パターンをドットの集合体として形成したので、例えば内視鏡の挿入部を繰り返し屈曲させても、指標素材に加えられる力が分散されるので、指標が挿入部から剥離したり、指標自体にき裂が生じたりすることが防止される。
【発明の効果】
【００２２】
この発明によれば、支障なく挿入部を体腔内に挿入可能で、挿入部に付した指標を容易に視認可能な内視鏡およびその指標を提供することができる。
【発明を実施するための最良の形態】
【００２３】
以下、図面を参照しながらこの発明を実施するための最良の形態（以下、実施の形態という）について説明する。
【００２４】
まず、第１の実施の形態について図１および図２を参照しながら説明する。  
図１に示すように、内視鏡１０は、細長く可撓性を有する挿入部１２と、この挿入部１２の基端部に設けられた操作部１４と、この操作部１４から延出されたユニバーサルコード１６とを備えている。
【００２５】
挿入部１２は、硬質先端部２２と、この硬質先端部２２に連結され、湾曲可能な湾曲部２４と、この湾曲部２４の基端部に先端部が連結され、操作部１４に基端部が連結された可撓管２６とを備えている。
【００２６】
これら硬質先端部２２、湾曲部２４および可撓管２６の外周面には、それぞれ外皮が被覆されている。特に、可撓管２６の外皮の外周面には、指標パターンとしてリング状の線状指標２８を形成するため、インクが塗布されて印刷されている。これら線状指標２８は、硬質先端部２２の先端から例えば１５ｃｍの位置を最初の線状指標として、例えば５ｃｍごとに設けられている。これら線状指標２８の近傍には、指標パターンとして例えば数字などの文字や記号等がインクが塗布されて印刷された記号状指標３０が形成されている。なお、硬質先端部２２、湾曲部２４および可撓管２６の外皮はそれぞれ黒色であることが好適で、線状指標２８や記号状指標３０は白色であることが好ましい。
【００２７】
線状指標２８や記号状指標３０は、黄変を防止するため、例えば次のような組成を有する素材が用いられることが好適である。
【００２８】
線状指標２８や記号状指標３０は、着色顔料と、含フッ素共重合体からなるバインダーと、液状可塑剤と、インク主剤を調製するための溶剤と、無黄変型のイソシアネート系硬化剤とを含んでいる。溶剤は、顔料、バインダー、および可塑剤とともに混合してインク主剤を調製する。無黄変型のイソシアネート系硬化剤は、インク主剤を２液反応により硬化させる。
【００２９】
着色顔料は、白色顔料である。この白色顔料は、超微粒子酸化チタンを含有するチタンホワイトである。
【００３０】
液状可塑剤は、液状ポリイソプレン、液状ポリブタジエン、液状アクリロニトリル−ブタジエンゴム、液状ポリクロロプレン、液状ポリオキシプロピレン、液状ポリオキシテトラメチレングリコール、液状ポリオレフィングリコール、液状ポリ−ε−カプロラクトン、液状シリコーンゴム、液状ポリスルフィドゴム、液状フッ素ゴム、および液状ポリイソブチレンからなる群から選択される少なくとも１種の液状化学物質である。この液状化学物質は、無黄変型イソシアネート系硬化剤と反応して、または反応せずに、インク皮膜に柔軟性、可撓性、伸びおよび密着性を付与する。
【００３１】
含フッ素共重合体は、ポリフルオロオレフィン−ビニルエーテル共重合体またはポリフルオロオレフィン−ビニルエステル共重合体である。
【００３２】
このような素材を使用することによって、グルタールアルデヒド系の滅菌液、過酢酸を含む滅菌液、および過酸化水素を含む滅菌液を用いた滅菌法、過酸化水素と低温プラズマを使用した滅菌法や、オートクレーブ滅菌法などの各種の滅菌法に線状指標２８や記号状指標３０が耐えることができ、線状指標２８や記号状指標３０が黄変したり、酸化や熱劣化により剥離が生じることが防止される。
【００３３】
なお、線状指標２８や記号状指標３０に用いられる材料は、このような素材に限ることはなく、上記の各種滅菌法に耐え得ることができれば、他のインク材料を用いてもよい。
【００３４】
次に、内視鏡１０の挿入部１２の硬質先端部２２の先端から２０ｃｍの位置に塗布されて印刷されたゴシックやヘルベチカフォント等の数字「２０」の記号状指標３０を指標パターンの例として説明する。ここでは、数字「２０」を例にして説明するが、指標パターンは、例えば他の数字を含む文字であったり、線（図１中に符号２８で示す線状指標）であったり、模様（丸形、三角形、四角形等）であったりするなど多岐にわたる。
【００３５】
図２に示すように、内視鏡１０の挿入部１２には、数字「２０」で示す指標３０を形成するため、インクが略ベタ塗りされた状態に塗布されて印刷されている。この指標３０には、数字「２０」に対して横縞状に複数のスリット３２が入れられている。図２中の指標３０のスリット３２にはインクが塗布されていない。スリット３２の幅は例えば０．１５ｍｍである。隣接するスリット３２間の距離、すなわちピッチは例えば０．８ｍｍである。
【００３６】
次に、このような構成の指標３０を有する内視鏡１０の作用について説明する。
【００３７】
内視鏡１０の挿入部１２の可撓管２６を屈曲させても、指標３０に形成されたスリット３２によりインク塗膜が引っ張られる量（面積）が少なくなる。すなわち、ほぼ同じ面積や厚さを有する指標３０に対して同じように屈曲などの力が加えられた場合、スリット３２が存在していることによって指標３０に加えられる力を、スリット３２が存在しない場合よりも減少させることができる。このため、スリット３２の存在によって指標３０に大きな力が加えられることが防止されるので、指標３０にき裂が生じることを防止することができる。また、スリット３２の存在によって指標３０に加えられる力をスリット３２間のインク塗膜に分散させることができるので、指標３０が外皮から機械的に剥離することを防止することができる。
【００３８】
また、内視鏡１０の使用後には、内視鏡１０は、グルタールアルデヒド系の滅菌液、過酢酸を含む滅菌液、および過酸化水素を含む滅菌液を用いた滅菌法、過酸化水素と低温プラズマを使用した滅菌法や、オートクレーブ滅菌法により滅菌される。
【００３９】
上記滅菌処理を繰り返し行なうと、指標３０のインク塗膜はスリット３２の存在によってそれぞれ小さな伸縮のみを繰り返す。したがって、スリット３２が存在していることによって指標３０に加えられる伸縮量を、スリット３２が存在しない場合よりも減少させることができる。このため、指標３０にき裂が生じることを防止することができる。また、スリット３２の存在によって指標３０に加えられる伸縮量をスリット３２間のインク塗膜に分散させることができるので、指標３０が外皮から機械的に剥離することを防止することができる。
【００４０】
次に、第２の実施の形態について図３を用いて説明する。この実施の形態は第１の実施の形態の変形例である。このため、第１の実施の形態で説明した部材と同一の機能を有する部材には同一の符号を付し、詳しい説明を省略する。以下、第３ないし第９の実施の形態も同様である。
【００４１】
図３に示すように、内視鏡１０の挿入部１２には、横縞状のスリット３２が入れられた、数字「２０」で示す指標３０が、インクが塗布されて印刷されている。スリット３２の幅は０．１５ｍｍである。スリット３２のピッチは１．０ｍｍである。
【００４２】
ここでは、上述したピッチを１．０ｍｍにしたことを説明したが、第１の実施の形態で説明した作用と同様の作用を得ることができる。
【００４３】
次に、第３の実施の形態について図４を用いて説明する。
【００４４】
図４に示すように、内視鏡１０の挿入部１２には、斜め縞状のスリット３４が入れられた、数字「２０」で示す指標３０が、インクが塗布されて印刷されている。スリット３４の幅は０．１５ｍｍである。スリット３４のピッチは１．０ｍｍである。スリット３２は、指標３０の数字「２０」の底部（水平状態）に対して時計周りに４５度の角度に傾斜されている。
【００４５】
次に、このような構成の指標３０を有する内視鏡１０の作用について説明する。
【００４６】
内視鏡１０の挿入部１２の可撓管２６を屈曲させても、指標３０に形成されたスリット３４によりインク塗膜が引っ張られる量（面積）が少なくなる。すなわち、ほぼ同じ面積や厚さを有する指標３０に対して同じように屈曲などの力が加えられた場合、スリット３４が存在していることによって指標３０に加えられる力を、スリット３４が存在しない場合よりも減少させることができる。このため、スリット３４の存在によって指標３０に大きな力が加えられることが防止されるので、指標３０にき裂が生じることを防止することができる。また、スリット３４の存在によって指標３０に加えられる力をスリット３４間のインク塗膜に分散させることができるので、指標３０が外皮から機械的に剥離することを防止することができる。
【００４７】
次に、第４の実施の形態について図５を用いて説明する。この実施の形態は第３の実施の形態の変形例である。
【００４８】
図５に示すように、内視鏡１０の挿入部１２には、斜め縞状のスリット３４が入れられた、数字「２０」で示す指標３０が、インクが塗布されて印刷されている。スリット３４の幅は０．１５ｍｍである。スリット３４のピッチは１．０ｍｍである。スリット３４は、指標３０の数字「２０」の底部（水平状態）に対して時計周りに２２．５度の角度に傾斜されている。
【００４９】
ここでは上述した角度を２２．５度にしたことを説明したが、第３の実施の形態で説明した作用と同様の作用を得ることができる。
【００５０】
次に、第５の実施の形態について図６を用いて説明する。この実施の形態は第１の実施の形態の変形例である。
【００５１】
図６に示すように、内視鏡１０の挿入部１２には、横縞状の第１のスリット３２と、縦縞状の第２のスリット３６とが入れられた、数字「２０」で示す指標３０が、インクが塗布されて印刷されている。第１のスリット３２は、指標３０の数字「２０」の底部（水平状態）に対して平行（０度）である。第２のスリット３６は、第１のスリット３２に対して時計周りに９０度の角度に傾斜されている。すなわち、指標３０には、格子状に第１および第２のスリット３２，３６が形成されている。第１および第２のスリット３２，３６の幅は０．１５ｍｍである。第１および第２のスリット３２，３６の各ピッチは１．０ｍｍである。
【００５２】
ここでは上述したスリットを格子状にしたことを説明したが、第１の実施の形態で説明した作用と同様の作用を得ることができる。
【００５３】
次に、第６の実施の形態について図７を用いて説明する。この実施の形態は第５の実施の形態の変形例である。
【００５４】
図７に示すように、内視鏡１０の挿入部１２には、斜め縞状の第１および第２のスリット３４，３８が入れられた、数字「２０」で示す指標３０が、インクが塗布されて印刷されている。第１のスリット３４は、指標３０の数字「２０」の底部（水平状態）に対して時計周りに４５度の角度に傾斜されている。第２のスリット３８は、指標３０の数字「２０」の底部（水平状態）に対して反時計周りに４５度（時計周りに１３５度）の角度に傾斜されている。すなわち、指標３０には、格子状に第１および第２のスリット３４，３８が形成されている。第１および第２のスリット３４，３８の幅は０．１５ｍｍである。第１および第２のスリット３４，３８のピッチは１．０ｍｍである。
【００５５】
ここでは上述したスリットをそれぞれ傾斜させた状態で格子状にしたことを説明したが、第５の実施の形態で説明した作用と同様の作用を得ることができる。
【００５６】
次に、第７の実施の形態について図８を用いて説明する。この実施の形態は第６の実施の形態の変形例である。
【００５７】
図８に示すように、内視鏡１０の挿入部１２には、斜め縞状の第１および第２のスリット３４，３８が入れられた、数字「２０」で示す指標３０が、インクが塗布されて印刷されている。第１のスリット３４は、指標３０の数字「２０」の底部（水平状態）に対して時計周りに２２．５度の角度に傾斜されている。第２のスリット３８は、指標３０の数字「２０」の底部（水平状態）に対して反時計周りに２２．５度（時計周りに１５７．５度）の角度に傾斜されている。すなわち、指標３０には、網状に第１および第２のスリット３４，３８が形成されている。第１および第２のスリット３４，３８の幅は０．１５ｍｍである。スリット３４，３８のピッチは１．０ｍｍである。
【００５８】
ここでは上述したスリットの角度を２２．５度それぞれ傾斜させたことを説明したが、第６の実施の形態で説明した作用と同様の作用を得ることができる。
【００５９】
なお、第１ないし第７の実施の形態で説明したスリット３２，３４，３６，３８が入れられた指標３０は、スリットの幅とスリット間同士の間隔（ピッチ）によって、き裂防止の効果と視認性が異なる。スリットの幅が大きく、ピッチは小さいほどき裂防止の効果が高いが、指標３０の視認性は劣る。通常、スリット３２，３４，３６，３８の幅は０．５ｍｍから０．２ｍｍであり、ピッチは０．５ｍｍから２ｍｍから選択することが好ましい。これは、指標３０の大きさ、文字の形などによって適切に選択される。また、指標３０に対してスリット３２，３４，３６，３８を入れる角度も０度から１８０度まで選択可能であるが、このような角度も文字の形によって適切に選択される。
【００６０】
次に、第８の実施の形態について図９を用いて説明する。この実施の形態は第１の実施の形態の変形例である。
【００６１】
図９に示すように、内視鏡１０の挿入部１２には、数字「２０」で示す指標３０がインクの点（ドット）状に塗布されて印刷されている。すなわち、指標３０は、ドットの集合体として形成されている。ドットの直径は０．２ｍｍである。ドットの面積比率（塗り潰し率）は５０％である。
【００６２】
ここでは、スリット３２を設ける代わりに指標３０をドット状に塗布して形成したが、第１の実施の形態で説明した作用と同様の作用を得ることができる。
【００６３】
次に、第９の実施の形態について図１０を用いて説明する。この実施の形態は第８の実施の形態の変形例である。
【００６４】
図１０に示すように、内視鏡１０の挿入部１２には、数字「２０」で示す指標３０がインクの点（ドット）状に塗布されて印刷されている。ドットの直径は０．３ｍｍである。ドットの面積比率（塗り潰し率）は５０％である。
【００６５】
ここでは、ドットの直径を０．３ｍｍとしたが、第８の実施の形態で説明した作用と同様の作用を得ることができる。
【００６６】
なお、第８および第９の実施の形態で説明したドットの径は、小さいほどインク塗膜が引っ張られる量が少なく、き裂が入り難くなるが、ドット径を小さくすると指標３０の視認性が悪くなり、指標としての役目を果たさなくなる可能性がある。このため、ドットの径としては、０．０１ｍｍ〜２ｍｍ程度であることが好ましく、特に０．０１ｍｍ〜１．０ｍｍ程度であることが好適である。
【００６７】
これら第１ないし第９の実施の形態によれば、以下の表１が得られる。
【表１】
2006055437.tif 000003
【００６８】
第５ないし第７の実施の形態で説明した格子状にスリットが入れられた指標３０は、視認性に関して他の実施の形態で説明した指標３０に比べて若干劣ると認められたが、内視鏡１０の通常の使用の範囲内であれば十分に視認することができる。
【００６９】
特に、第１ないし第４、第８および第９の実施の形態で説明した指標３０が、視認性が良く、オートクレーブ滅菌を１０００回処理した後に指標３０を有する可撓管２６を屈曲させて指標３０を伸縮させても、き裂が確認されなかった。このため、第１ないし第４、第８および第９の実施の形態で説明した指標３０を内視鏡１０の挿入部１２の可撓管２６の指標として使用することが特に好適である。もちろん、第５ないし第７の実施の形態で説明した指標３０も、第１ないし第４、第８および第９の実施の形態で説明した指標３０に比べて視認性に劣るが、同様に使用することが好適である。
【００７０】
以上説明したように、これら第１ないし第９の実施の形態によれば、以下の効果が得られる。
【００７１】
指標３０の指標パターンをスリット入りや、ドットの集合体として形成したので、可撓管２６を屈曲させても、ベタ塗りの場合と比較して、指標３０の各インク塗膜が引っ張られる張力を減少させることができる。したがって、同じ文字の指標に屈曲などの力が加えられたとき、その指標がスリットが入れられ、ドット状に形成されている指標３０である場合、その指標３０（図２ないし図１０参照）に加えられる力を、スリットが存在しなかったり、ドット状に形成されていないベタ塗りの指標４０（図１１参照）よりも減少させることができる。このため、スリットが入れられたり、ドット状に形成された指標３０に大きな力が加えられることが防止されるので、指標３０にき裂が生じることを防止することができる。また、指標３０に力が引っ張りなどの力が加えられても、その力を各インク塗膜に分散させることができるので、指標３０が可撓管２６の外皮から機械的に剥離することを防止することができる。
【００７２】
これまで、いくつかの実施の形態について図面を参照しながら具体的に説明したが、この発明は、上述した実施の形態に限定されるものではなく、その要旨を逸脱しない範囲で行なわれるすべての実施を含む。
【００７３】
上記説明によれば、下記の事項の発明が得られる。また、各項の組み合わせも可能である。
【００７４】
［付記］
（付記項１）  体腔内に挿入される内視鏡の挿入部にインクが塗布または印刷される指標の文字、数字、線状指標が、ドット状の指標であることを特徴とする。
【００７５】
（付記項２）  体腔内に挿入される内視鏡の挿入部にインクが塗布または印刷される指標の文字、数字、線状指標が、スリット入りの指標であることを特徴とする。
【図面の簡単な説明】
【００７６】
【図１】第１の実施の形態に係る内視鏡の概略的な斜視図。
【図２】第１の実施の形態に係る内視鏡の挿入部の可撓管に塗布／印刷された指標を示す概略図。
【図３】第２の実施の形態に係り、内視鏡の挿入部の可撓管に塗布／印刷された指標を示す概略図。
【図４】第３の実施の形態に係り、内視鏡の挿入部の可撓管に塗布／印刷された指標を示す概略図。
【図５】第４の実施の形態に係り、内視鏡の挿入部の可撓管に塗布／印刷された指標を示す概略図。
【図６】第５の実施の形態に係り、内視鏡の挿入部の可撓管に塗布／印刷された指標を示す概略図。
【図７】第６の実施の形態に係り、内視鏡の挿入部の可撓管に塗布／印刷された指標を示す概略図。
【図８】第７の実施の形態に係り、内視鏡の挿入部の可撓管に塗布／印刷された指標を示す概略図。
【図９】第８の実施の形態に係り、内視鏡の挿入部の可撓管に塗布／印刷された指標を示す概略図。
【図１０】第９の実施の形態に係り、内視鏡の挿入部の可撓管に塗布／印刷された指標を示す概略図。
【図１１】従来の技術に係り、内視鏡の挿入部の可撓管に塗布／印刷された指標を示す概略図。
【符号の説明】
【００７７】
３０…指標、３２…スリット
【図１】
2006055437.tif 000004
【図２】
2006055437.tif 000005
【図３】
2006055437.tif 000006
【図４】
2006055437.tif 000007
【図５】
2006055437.tif 000008
【図６】
2006055437.tif 000009
【図７】
2006055437.tif 000010
【図８】
2006055437.tif 000011
【図９】
2006055437.tif 000012
【図１０】
2006055437.tif 000013
【図１１】
2006055437.tif 000014